(57)【特許請求の範囲】
【請求項１】
走行装置（２）の前方に設けた刈取装置（４）のテーブル（１４）を、搬送エレベーター（１５）を介して脱穀装置（３）に接続したコンバインにおいて、搬送エレベーター（１５）の基部のエレベーター駆動軸（１６）にはエンジンの駆動回転が入力される構成とし、搬送エレベーター（１５）のエレベーターケース（１７）内のエレベーター駆動軸（１６）に固定した左右一対の駆動スプロケット（１９）と受動回転する搬送用ドラム（２０）との間に所定間隔をおいて搬送体（２４）を複数設けた無端状の搬送チェン（２３）を掛け回し、左右の駆動スプロケット（１９）間のエレベーター駆動軸（１６）の外周にはエレベーターケース（１７）側に固定状態に取付けた巻付き防止体（３０）を設け、巻付き防止体（３０）の外端面と駆動スプロケット（１９）の内面との間には筒状の外側カバー（３１）を設け、外側カバー（３１）内のエレベーター駆動軸（１６）はベアリング保持メタル（３２）に軸装し、駆動スプロケット（１９）の内面には外側カバー（３１）を取り付けた際に外側カバー（３１）の外側端面が食い込む挿入溝（４５）を設け、挿入溝（４５）の周囲の駆動スプロケット（１９）の内面には挿入溝（４５）に向かって高くなるテーパー部（４６）を全周に亘って設けたコンバイン。
【請求項２】
請求項１記載の発明において、外側カバー（３１）内のエレベーター駆動軸（１６）にはベアリング保持メタル（３２）を設けたコンバイン。
【請求項３】
請求項２記載の発明において、外側カバー（３１）のボルト固定プレート（３９）に、ベアリング保持メタル（３２）の位置決めの凹み（４０）を設けたコンバイン。
【請求項４】
請求項３記載の発明において、外側カバー（３１）内にベアリング保持メタル（３２）の外径と略同径の孔を開けたプレート（４１）を設けたコンバイン。
【請求項５】
請求項１〜請求項４の何れか記載の発明において、外側カバー（３１）は、鋳物で、外側の大径部外側カバー（３１Ａ）と内側の小径部外側カバー（３１Ｂ）とに形成し、巻付き防止体（３０）の外端は外側カバー（３１）の大径部外側カバー（３１Ａ）の外周に嵌め込み、外側カバー（３１）の小径部外側カバー（３１Ｂ）の外周面と巻付き防止体（３０）の内周面との間にベアリング保持メタル（３２）を固定する固定ボルト（３５）を収容しうる空間（４２）を形成したコンバイン。
【発明の詳細な説明】
【技術分野】
【０００１】
本発明は、コンバインに係るものである。
【背景技術】
【０００２】
従来、刈取装置で刈り取った穀稈を脱穀装置に送る搬送エレベーターにおいて、搬送エレベーターの基部のエレベーター駆動軸の外周に筒状の巻き付き防止体を設けた構成は、公知である（特許文献１）。
【先行技術文献】
【特許文献】
【０００３】
【特許文献１】２０１９−４８４５号公報
【発明の概要】
【発明が解決しようとする課題】
【０００４】
前記公知例は、単に、エレベーター駆動軸の外周に筒状の巻き付き防止体を設けた構成のため、駆動スプロケットと巻き付き防止体との間に穀稈が詰まり、これにより、巻き付き防止体に穀稈が巻き付くという課題がある。
本願は、エレベーター駆動軸と駆動スプロケットと巻き付き防止体とを工夫し、エレベーター駆動軸および／または巻き付き防止体に穀稈が巻き付くのを防止したものであり、また、駆動スプロケット周辺の部材の取付および組立を容易にしたものである。
【課題を解決するための手段】
【０００５】
請求項１記載の発明は、走行装置２の前方に設けた刈取装置４のテーブル１４を、搬送エレベーター１５を介して脱穀装置３に接続したコンバインにおいて、搬送エレベーター１５の基部のエレベーター駆動軸１６にはエンジンの駆動回転が入力される構成とし、搬送エレベーター１５のエレベーターケース１７内のエレベーター駆動軸１６に固定した左右一対の駆動スプロケット１９と受動回転する搬送用ドラム２０との間に所定間隔をおいて搬送体２４を複数設けた無端状の搬送チェン２３を掛け回し、左右の駆動スプロケット１９間のエレベーター駆動軸１６の外周にはエレベーターケース１７側に固定状態に取付けた巻付き防止体３０を設け、巻付き防止体３０の外端面と駆動スプロケット１９の内面との間には筒状の外側カバー３１を設け、外側カバー３１内のエレベーター駆動軸１６はベアリング保持メタル３２に軸装し、駆動スプロケット１９の内面には外側カバー３１を取り付けた際に外側カバー３１の外側端面が食い込む挿入溝４５を設け、挿入溝４５の周囲の駆動スプロケット１９の内面には挿入溝４５に向かって高くなるテーパー部４６を全周に亘って設けたコンバインとしたものである。
請求項２記載の発明は、外側カバー３１内のエレベーター駆動軸１６にはベアリング保持メタル３２を設けたコンバインとしたものである。
請求項３記載の発明は、外側カバー３１のボルト固定プレート３９に、ベアリング保持メタル３２の位置決めの凹み４０を設けたコンバインとしたものである。
請求項４記載の発明は、外側カバー３１内にベアリング保持メタル３２の外径と略同径の孔を開けたプレート４１を設けたコンバインとしたものである。
請求項５記載の発明は、外側カバー３１は、鋳物で、外側の大径部外側カバー３１Ａと内側の小径部外側カバー３１Ｂとに形成し、巻付き防止体３０の外端は外側カバー３１の大径部外側カバー３１Ａの外周に嵌め込み、外側カバー３１の小径部外側カバー３１Ｂの外周面と巻付き防止体３０の内周面との間にベアリング保持メタル３２を固定する固定ボルト３５を収容しうる空間４２を形成したコンバインとしたものである。
【発明の効果】
【０００６】
請求項１記載の発明では、巻付き防止体３０の外端面と駆動スプロケット１９の内面との間に筒状の外側カバー３１を設け、外側カバー３１内のエレベーター駆動軸１６はベアリング保持メタル３２に軸装しているので、外側カバー３１は駆動スプロケット１９と一体回転し、外側カバー３１に搬送穀稈が巻き付くのを防止でき、また、駆動スプロケット１９の内面には外側カバー３１を取り付けた際に外側カバー３１の外側端面が食い込む挿入溝４５を設けているので、駆動スプロケット１９の内面と外側カバー３１の外側端面とが隙間なく配置でき、外側カバー３１に搬送穀稈が巻き付くのを防止でき、また、挿入溝４５の周囲の駆動スプロケット１９の内面には挿入溝４５に向かって高くなるテーパー部４６を全周に亘って設けているので、搬送穀稈の巻き付きを一層抑制することができる。
請求項２記載の発明では、外側カバー３１内のエレベーター駆動軸１６にはベアリング保持メタル３２を設けているので、ベアリング保持メタル３２とベアリング保持メタル３２に組付ける外側カバー３１とを分割して構成することができ、ベアリング挿入部の加工範囲がベアリング幅のみでよく、エレベーター駆動軸１６への組付けに比べ、外側カバー３１と駆動スプロケット１９の隙間に組立て公差の影響が少ない。
請求項３記載の発明では、外側カバー３１のボルト固定プレート３９に、ベアリング保持メタル３２の位置決めの凹み４０を設けているので、ベアリング保持メタル３２と外側カバー３１の芯出し精度を向上させることができる。
請求項４記載の発明では、外側カバー３１にベアリング保持メタル３２の外径の穴を開けたプレート４１を設けているので、ベアリング保持メタル３２と外側カバー３１の芯出し精度を向上させられ、また、外側カバー３１を２カ所で保持でき、強度アップできる。
請求項５記載の発明では、外側カバー３１は、鋳物で、外側の大径部外側カバー３１Ａと内側の小径部外側カバー３１Ｂとに形成し、巻付き防止体３０の外端は外側カバー３１の大径部外側カバー３１Ａの外周に嵌め込み、外側カバー３１の小径部外側カバー３１Ｂの外周面と巻付き防止体３０の内周面との間にベアリング保持メタル３２を固定する固定ボルト３５を収容しうる空間４２を形成しているので、外側カバー３１の外周に突起物の存在を解消させることができ、外側カバー３１に搬送穀稈が巻き付くのを防止できる。
【図面の簡単な説明】
【０００７】
【図１】コンバインの側面図。
【図２】搬送エレベーターの駆動スプロケットと搬送用ドラムを示した縦断側面図。
【図３】搬送エレベーターの駆動スプロケットと巻付き防止体付近の平面状態断面図。
【図４】同他の実施形態の平面状態断面図。
【図５】同他の実施形態の平面状態断面図および縦断側面図。
【図６】刈取装置のテーブル付近の側面図と正面図と背面図。
【図７】同他の実施形態の側面図と正面図と背面図。
【図８】同他の実施形態の側面図と正面図と背面図。
【図９】同他の実施形態の側面図と正面図と背面図。
【図１０】同他の実施形態の側面図と正面図と背面図。
【図１１】同他の実施形態の側面図と正面図と背面図。
【発明を実施するための形態】
【０００８】
本発明の一実施形態を図面により説明すると、１は機体フレ−ム、２は機体フレ−ム１の下方位置に設けた走行装置、３は機体フレ−ム１の上方位置に設けた脱穀装置、４は機体フレ−ム１の前方に設けた刈取装置、５は前記脱穀装置３の側部に設けた該脱穀装置３より取出された穀物を一時貯留するグレンタンク、６は操縦部である（図１）。
刈取装置４は、前方に設けた左右の分草装置１０と、穀稈を掻き込む掻込リール１１と、掻き込んだ穀稈を刈り取る刈刃１２と、刈り取った穀稈を集めるオーガー１３とを、テーブル１４に取付けて構成する。刈取装置４はテーブル１４に搬送エレベーター(搬送装置)１５の先端を取付け、搬送エレベーター１５の基部は脱穀装置３の脱穀室(図示省略)に接続する（図１）。
【０００９】
搬送エレベーター１５の基部のエレベーター駆動軸１６にはエンジン(図示省略)の回転が入力される構成とし、このエレベーター駆動軸１６は前記刈取装置４へ回転伝達する刈取入力軸と兼用する構成としている（図２）。
また、搬送エレベーター１５と刈取装置４はエレベーター駆動軸１６を回動支点として上下回動する。
エレベーター駆動軸１６は、搬送エレベーター１５のエレベーターケース１７の左右側板１８に回転自在に軸装し、エレベーターケース１７内のエレベーター駆動軸１６には左右一対の駆動スプロケット１９を固定する。駆動スプロケット１９と受動回転する搬送用ドラム２０の左右一対の歯部２１との間に無端状の搬送チェン２３を掛け回す。搬送チェン２３には所定間隔をおいて搬送体２４を複数設ける。
【００１０】
左右の駆動スプロケット１９間のエレベーター駆動軸１６の外周には巻付き防止体３０を設ける。巻付き防止体３０はエレベーターケース１７側に固定状態に取付ける。
そのため、巻付き防止体３０の存在によりエレベーター駆動軸１６に搬送穀稈が巻き付くのを抑制する。
巻付き防止体３０の構成は任意であり、図示は省略するが、母線方向で半割にした半割円筒部材を合わせて、一つの円筒形状に構成し、この巻付き防止体３０をステー（図示省略）を介してエレベーターケース１７に固定状態に取付けている。
巻付き防止体３０の外端面と駆動スプロケット１９の内面との間には筒状の外側カバー３１を設け、外側カバー３１内のエレベーター駆動軸１６はベアリング保持メタル３２に軸装する。
【００１１】
そのため、巻付き防止体３０に加えて外側カバー３１を設けたことにより、一層、エレベーター駆動軸１６に搬送穀稈が巻き付くのを抑制する。
駆動スプロケット１９の内面には外側カバー３１を取り付けた際に外側カバー３１の外側端面が食い込むリング状の挿入溝４５を設ける（図３〜５）。
挿入溝４５の周囲の駆動スプロケット１９の内面には挿入溝４５に向かって高くなるテーパー部４６を全周に亘って設ける。
そのため、巻付き防止体３０および外側カバー３１への搬送穀稈の巻き付きを抑制する。
【００１２】
すなわち、外側カバー３１の外端を駆動スプロケット１９の内面に当接させると、製品製作精度のばらつきにより、外側カバー３１の外端を駆動スプロケット１９の内面との間に多少の隙間が発生し、搬送穀稈はこの隙間に引っ掛かり、この引っ掛かり抵抗によって外側カバー３１と巻付き防止体３０に巻き付くが、本発明では駆動スプロケット１９の内面の挿入溝４５に外側カバー３１の外側端面を食い込ませ、かつ、挿入溝４５の周囲の駆動スプロケット１９の内面には挿入溝４５に向かって高くなるテーパー部４６を全周に亘って設けているので、搬送穀稈はテーパー部４６により搬送エレベーター１５の中央側に案内され、外側カバー３１の外周と搬送穀稈の間の引っ掛かり抵抗を抑制するので、外側カバー３１と巻付き防止体３０への搬送穀稈の巻き付きを抑制（防止）する。
【００１３】
したがって、挿入溝４５は、外側カバー３１を嵌合させると、平面視において  駆動スプロケット１９と外側カバー３１とが重なればよく、挿入溝４５は外側カバー３１の肉厚より放射方向において幅広に形成する。
そのため、挿入溝４５に外側カバー３１の外端面が放射方向において余裕を持って嵌合し、仮に、外側カバー３１と駆動スプロケット１９との取付精度によって、外側カバー３１の軸心位置と駆動スプロケット１９の軸心位置の不一致によって生じる、固定状態の外側カバー３１が駆動スプロケット１９の回転に対する干渉および障害発生を防止する。
また、挿入溝４５は外側カバー３１の肉厚より放射方向において幅広に形成しているので、組付誤差を吸収でき、取付・組立を容易にする。
換言すると、挿入溝４５の溝幅を、外側カバー３１の肉厚より大に形成する。
【００１４】
外側カバー３１の心出し（芯出し）用のベアリング保持メタル３２を駆動スプロケット１９のスプロケットハブ３３の端部に設けた構成とする。
すなわち、本来、巻付き防止体３０は駆動スプロケット１９の内面に当接させておらず、エレベーターケース１７に支持させており、この巻付き防止体３０に取付けた外側カバー３１と駆動スプロケット１９とは挿入溝４５により平面視において外側カバー３１とラップするので、外側カバー３１をエレベーター駆動軸１６に対して偏心回転させないようにベアリング保持メタル３２を設けている。
ベアリング保持メタル３２とベアリング保持メタル３２に組付ける外側カバー３１とを分割して構成する。
【００１５】
そのため、ベアリング挿入部の加工範囲がベアリング幅のみでよく、エレベーター駆動軸１６への組付けに比べ、外側カバー３１と駆動スプロケット１９の隙間に組立て公差の影響が少ない。
ベアリング３４とベアリング保持メタル３２は組付けたまま、駆動スプロケット１９の固定ボルト３５とロックナット３６が外せる位置（工具が入る位置）に設ける。３７は駆動スプロケット１９をエレベーター駆動軸１６に固定する固定ボルトである。
そのため、メンテナンス性を向上させられる。
なお、外側カバー３１の取付順序は任意であるが、例えば、ベアリング保持メタル３２をエレベーター駆動軸１６に固定し、次に、ベアリング保持メタル３２の外周に、エレベーター１５の内側から外側カバー３１を挿入し、外側カバー３１の内端面側に母線方向にて分割した半割状態の巻付き防止体３０を被せて取付ける。
【００１６】
また、外側カバー３１とベアリング保持メタル３２とは、外側カバー３１に固定のボルト固定プレート３９にベアリング保持メタル３２を固定ボルト３５とロックナット３６とにより固定する。
ベアリング保持メタル３２とベアリング保持メタル３２に組付ける外側カバー３１とは、コンプ（ＣＯＭＰ）で構成する。
そのため、組立・取外性を向上させられると共に、軽量化できる。
コンプ構成は任意であるが、例えば、外側カバー３１とベアリング保持メタル３２とを溶接等の手段で一体化し、これにベアリング等を取付けてエレベーター駆動軸１６に取付ける。
【００１７】
また、ボルト固定プレート３９は、図示は省略するが、外側カバー３１と同心状の円筒部材により形成し、外側カバー３１の内周面にボルト固定プレート３９の外周面が密着して、外側カバー３１に円周方向から受ける負荷荷重を支持し、外側カバー３１の変形を防止する。
外側カバー３１と巻付き防止体３０との固定は、エレベーター駆動軸１６の軸心方向外向きに固定ボルト３８で固定する。
そのため、外側カバー３１と巻付き防止体３０との取付強度を向上させられる。
外側カバー３１のボルト固定プレート３９に、ベアリング保持メタル３２の位置決めの凹み４０を設ける（図４）。
４０Ａはベアリング保持メタル３２の下面に設けたリング状の突条であり、凹み４０内に嵌合する。
【００１８】
そのため、エレベーター駆動軸１６と同心のベアリング保持メタル３２に対して、
凹み４０によりボルト固定プレート３９が位置決めされて、ベアリング保持メタル３２と外側カバー３１の芯出し精度を向上させられる。
外側カバー３１にベアリング保持メタル３２の外径と同径の孔を開けたプレート４１をコンプ（ＣＯＭＰ）し、組立時にプレート４１が、ベアリング保持メタル３２に挿入されるように配置する。
【００１９】
そのため、ベアリング保持メタル３２の外周はプレート４１の孔により支持されるので、ベアリング保持メタル３２と外側カバー３１の芯出し精度を向上させられ、また、外側カバー３１を２カ所で保持でき、強度アップできる。
すなわち、外側カバー３１をボルト固定プレート３９とプレート４１との２カ所で内側から保持する。
換言すると、外側カバー３１の内周面にボルト固定プレート３９の外周面が密着して、外側カバー３１の円周方向から受ける負荷荷重を支持するのと同様に、プレート４１がベアリング保持メタル３２の外周はプレート４１の孔により支持されることにより、その結果、プレート４１の外周は外側カバー３１の内周面に密着して支持し、外側カバー３１の変形を防止する。
【００２０】
これにより、この外側カバー３１を、巻付き防止体３０の左右両側に設けているので、巻付き防止体３０の支持剛性も向上させられる。
この場合の外側カバー３１とボルト固定プレート３９とプレート４１等の組立方法は任意であるが、例えば、プレート４１をエレベーター駆動軸１６に挿入し、次に、ベアリング保持メタル３２をエレベーター駆動軸１６に挿入し、スプロケットハブ３３とベアリング保持メタル３２によりプレート４１を左右方向で挟持して、プレート４１を軸方向の移動規制して固定状態とし、プレート４１の外周によって外側カバー３１が円周方向から受ける負荷荷重を支持する。
【００２１】
そして、ベアリング保持メタル３２の内端面に外側カバー３１に熔接固定したボルト固定プレート３９を当接させて固定ボルト３５とロックナット３６とにより、ベアリング保持メタル３２をボルト固定プレート３９に固定する。
これにより、巻付き防止体３０に外側カバー３１が固定され、この外側カバー３１にベアリング保持メタル３２が固定され、ベアリング保持メタル３２と駆動スプロケット１９のスプロケットハブ３３とによりプレート４１が挟持される。
【００２２】
また、エレベーター駆動軸１６内にプレート４１を熔接固定し、プレート４１の内側にベアリング保持メタル３２を挿入し、ベアリング保持メタル３２の内端面にボルト固定プレート３９を当接させて固定ボルト３５とロックナット３６とにより、ベアリング保持メタル３２をボルト固定プレート３９に固定し、この状態で39を外側カバー３１に熔接固定すると、外側カバー３１のコンプが完成し、ベアリング保持メタル３２を内蔵してコンプされた外側カバー３１をエレベーター駆動軸１６に挿入し、このエレベーター駆動軸１６の内側外周部分に半割状態の巻付き防止体３０を被せて取付けてもよい。
【００２３】
図５は、他の実施形態を示し、外側カバー３１を鋳物で構成する。
そのため、隙間を小さく出来る。
鋳物で構成した外側カバー３１内に、ベアリング保持メタル３２とそれに組付ける外側カバー３１の固定ボルト３８が、巻付き防止体３０の内側に隠れるように構成する。
すなわち、外側カバー３１を、外側の大径部外側カバー３１Ａと内側の小径部外側カバー３１Ｂとに形成し、巻付き防止体３０の外端は外側カバー３１の大径部外側カバー３１Ａの外周に嵌め込み、この状態で、外側カバー３１の小径部外側カバー３１Ｂの外周面と巻付き防止体３０の内周面との間に空間４２を形成し、空間４２内に固定ボルト３５を設ける。
【００２４】
そのため、巻付きカバー巻付き防止体３０の外周の突起を減らすことができる。
また、外側カバー３１を、外側の大径部外側カバー３１Ａと内側の小径部外側カバー３１Ｂとにより鋳物で一体状に形成しているので、ベアリング保持メタル３２の外径を直接小径部外側カバー３１Ｂで支持することができ、ベアリング保持メタル３２を固定するボルト（図３の固定ボルト３５とロックナット３６）等が削減できる。
刈取装置４の刈刃１２に駆動回転を伝達するヨーク軸５０をテーブル１４の左側板５１の側方に設け、ヨーク軸５０の上方の左側板５１にウエイト５２を着脱自在に設け、カウンタシャフト５３にフライホイール５４を設ける（図６）。
そのため、刈刃１２の振動を抑制し、刈刃１２および刈取装置４全体の振動および騒音発生を抑制する。
【００２５】
すなわち、ヨーク軸５０とウエイト５２は一体往復回動するので、刈刃１２の振動抑制に作用し、また、レシプロカッターの構成を採用する刈刃１２の構成上、往復動の中間移動時が最も速く、移動端部で遅くなるが、これをフライホイール５４の重量により、刈刃１２の移動速度をできるだけ平準化して、切断エネルギーによる回転変動を安定させる。
図７のように、ヨーク軸５０を支持しているユニットベアリング６０が固定されているフレーム６１に、ヨーク軸５０を往復回転自在に軸装し、ヨーク軸５０にアーム６３の一端を着脱自在で固定状態に取付け、アーム６３の他端にウエイト５２を取付け、ヨーク軸５０とアーム６３とウエイト５２とを往復回動させる。
【００２６】
そのため、刈刃１２の振動および刈取装置４全体の振動発生および騒音を抑制でき、これにより、エンジン（図示省略）の揺れも抑制でき、エンジンマウント（図示省略）の耐久性を向上させられる。
また、ユニットベアリング６０が固定されたフレーム６１への刈刃１２の振動の影響を減少させることができる。
また、アーム６３とウエイト５２とを、掻込リール１１を上下させるリール上下シリンダ６５の下方に設けているので、リール上下シリンダ６５の下側のスペースを有効利用できる。
【００２７】
また、図８のように、ヨーク軸５０の上方で、リール上下シリンダ６５とユニットベアリング６０の組付けフレーム６１の間にウエイト５２を配置する。
そのため、ウエイト５２の配置をリール上下シリンダ６５をかわすことで、ヨーク軸５０からウエイト５２の重心位置の距離を離すことができ、速度アップすることでウエイト５２の重量を抑えることができ、しかも、刈刃１２の振動の影響を減少させられる。
また、図９のように、ヨーク軸５０の上方で、リール上下シリンダ６５とリール駆動チェン６８の間にウエイト５２を配置する。
【００２８】
そのため、ウエイト５２の配置をリール上下シリンダ６５をかわすことで、ヨーク軸５０の回動軸６６からウエイト５２の重心位置の距離を離すことができ、速度アップすることでウエイト５２の重量を抑えることができ、しかも、刈刃１２の振動の影響を減少させられる。
また、図１０のように、ヨーク軸５０の上方で、リール上下シリンダ６５とリール駆動チェン６８の間にウエイト５２を配置し、かつ、リール駆動チェン６８のチェンラインと、リール上下シリンダ６５に平行にウエイト５２を配置する。
【００２９】
そのため、ウエイト５２の配置をリール上下シリンダ６５をかわすことで、ヨーク軸５０の回動軸回動軸６６からウエイト５２の重心位置の距離を離すことができ、速度アップすることでウエイト５２の重量を抑えることができ、しかも、刈刃１２の振動の影響を減少させられる。
また、図１１のように、ヨーク軸５０と一体でカウンタシャフト５３の後方上部にウエイト５２を設ける。
そのため、テーブル１４のエレベーター１５の側面からの左側の出代の背面のスペースを利用してウエイト５２を設けているので、左側未刈稈の引っ掛かりが少ない。
【符号の説明】
【００３０】
１…機体フレ−ム、２…走行装置、３…脱穀装置、４…刈取装置、５…グレンタンク、６…操縦部、１０…分草装置、１１…掻込リール、１２…刈刃、１３…オーガー、１４…テーブル、１５…搬送エレベーター、１６…エレベーター駆動軸、
１７…エレベーターケース、１７…天井部、１８…側板、１９…駆動スプロケット１９、２０…搬送用ドラム、２１…歯部、２３…搬送チェン、２４…搬送体、３０…巻付き防止体、３１…外側カバー、３２…ベアリング保持メタル、３３…スプロケットハブ、３４…ベアリング、３５…ボルト、３６…ロックナット、３７…固定ボルト、３８…固定ボルト、３９…ボルト固定プレート、４０…凹み、４１…プレート、４２…空間、４５…挿入溝、４６…テーパー部、５０…ヨーク軸、５１…左側板、５２…ウエイト、５３…カウンタシャフト、５４…フライホイール、６０…ユニットベアリング、６１…フレーム、６３…アーム、６５…リール上下シリンダ、６６…回動軸。
【図１】
0006935811.tif 000002
【図２】
0006935811.tif 000003
【図３】
0006935811.tif 000004
【図４】
0006935811.tif 000005
【図５】
0006935811.tif 000006
【図６】
0006935811.tif 000007
【図７】
0006935811.tif 000008
【図８】
0006935811.tif 000009
【図９】
0006935811.tif 000010
【図１０】
0006935811.tif 000011
【図１１】
0006935811.tif 000012